(57)【特許請求の範囲】
【請求項１】
情報処理装置に設けられたカードスロットに挿抜可能なＩＣカードであって、
無線通信を行うための無線回路と、
フラッシュメモリと、
前記情報処理装置からデータが供給されるデータピンを含む、前記カードスロット内で前記情報処理装置と接続される複数の信号ピンと、
前記フラッシュメモリと分けて設けられ、前記フラッシュメモリへのアクセス制御と前記無線回路の無線インタフェース制御を行うように構成され、前記データピンを介して供給される前記データを前記フラッシュメモリの特定の領域に書き込んでセキュリティデータアクセス制御を行なうものであって、専用の情報をもった前記情報処理装置からのアクセスのみを許可すると共に、前記無線通信により接続する相手機器を特定する接続先設定情報を前記フラッシュメモリに書き込んで、前記接続先設定情報をもとに特定の相手機器との通信のみを許可するコントローラチップと、
前記無線回路と接続されると共に、前記情報処理装置に設けられた前記アンテナと接続／切断を可能として、前記情報処理装置と接続される前記複数の信号ピン側に設けられ、前記カードスロットに挿入された場合に前記カードスロットの内部において前記無線回路を前記アンテナと接続させ、前記カードスロットから抜かれた場合に前記無線回路を前記アンテナから切断させるコネクタと
を具備したことを特徴とする無線インタフェース機能内蔵ＩＣカード。
【請求項２】
前記コントローラチップは、ＳＤ（Secure digital）カードインタフェースを有することを特徴とする請求項１記載の無線インタフェース機能内蔵ＩＣカード。
【請求項３】
前記コネクタは、前記複数の信号ピンの一部をアンテナ接続用に用いて前記無線回路を前記アンテナと接続させることを特徴とする請求項１記載の無線インタフェース機能内蔵ＩＣカード。
【請求項４】
ＩＣカードが装着され、この装着された前記ＩＣカードがイジェクトレバーの操作により排出されるカードスロットと、
前記カードスロットに挿抜可能なＩＣカードと、
前記ＩＣカードが前記カードスロットに装着された場合に、前記カードスロットの内部で前記ＩＣカードと接続される前記イジェクトレバーに設けられたアンテナとを具備した情報処理装置であって、
前記ＩＣカードは、
無線通信を行うための無線回路と、
フラッシュメモリと、
前記情報処理装置からデータが供給されるデータピンを含む、前記カードスロット内で前記情報処理装置と接続される複数の信号ピンと、
前記フラッシュメモリと分けて設けられ、前記フラッシュメモリへのアクセス制御と前記無線回路の無線インタフェース制御を行うように構成され、前記データピンを介して供給される前記データを前記フラッシュメモリの特定の領域に書き込んでセキュリティデータアクセス制御を行なうものであって、専用の情報をもった前記情報処理装置からのアクセスのみを許可すると共に、前記無線通信により接続する相手機器を特定する接続先設定情報を前記フラッシュメモリに書き込んで、前記接続先設定情報をもとに特定の相手機器との通信のみを許可するコントローラチップと、
前記無線回路と接続されると共に、前記情報処理装置の前記イジェクトレバーに設けられた前記アンテナと接続／切断を可能として、前記情報処理装置と接続される前記複数の信号ピン側に設けられ、前記カードスロットに挿入された場合に前記カードスロットの内部において前記無線回路を前記アンテナと接続させ、前記カードスロットから抜かれた場合に前記無線回路を前記アンテナから切断させるコネクタとを有することを特徴とする情報処理装置。
【発明の詳細な説明】
【０００１】
【発明の属する技術分野】
本発明は、ＳＤ（Secure digital）カードなどの小型のＩＣカードに関する。
【０００２】
【従来の技術】
近年、携帯型のパーソナルコンピュータや各種の情報処理装置においては、ＰＣＭＣＩＡ（Personal Computer Memory Card International Association）に準拠するＩＣカード（ＰＣカード）を使用できる機能をもつものが一般的となっている。ＰＣカードは、データ記憶用のメディアとして使用されるだけでなく、周辺機能を拡張するためにも使用されている。例えば、ＰＣカードには、モデム、ネットワークカード、ハードディスク、通信機などに機能するものがある。
【０００３】
ところで近年では、ＰＣＭＣＩＡに準拠するＰＣカードだけではなく、さらに小型のＩＣカードが使用されてきている。例えば、電気的に書き換え可能であって、電源を切っても記憶された内容が消えないフラッシュメモリが搭載されたＳＤメモリカードなどがある。
【０００４】
【発明が解決しようとする課題】
このように従来では、ＰＣＭＣＩＡに準拠するＰＣカードの場合であれば、通信を含む各種の機能拡張用に用いられてきているが、ＰＣカードと比較してさらに小型のＳＤメモリカードなどでは他の機能を搭載することが困難であり機能拡張用に用いられてはいなかった。特に従来では、ＩＣカードに無線インタフェース機能を搭載したものがなかった。
【０００５】
本発明は前記のような事情を考慮してなされたもので、無線インタフェース機能が内蔵されたＩＣカード、このＩＣカードに用いるアンテナモジュール、このＩＣカードを用いる情報処理装置を提供することを目的とする。
【０００６】
【課題を解決するための手段】
本発明は、情報処理装置に設けられたカードスロットに挿抜可能なＩＣカードであって、無線通信を行うための無線回路と、フラッシュメモリと、前記情報処理装置からデータが供給されるデータピンを含む、前記カードスロット内で前記情報処理装置と接続される複数の信号ピンと、前記フラッシュメモリと分けて設けられ、前記フラッシュメモリへのアクセス制御と前記無線回路の無線インタフェース制御を行うように構成され、前記データピンを介して供給される前記データを前記フラッシュメモリの特定の領域に書き込んでセキュリティデータアクセス制御を行なうものであって、専用の情報をもった前記情報処理装置からのアクセスのみを許可すると共に、前記無線通信により接続する相手機器を特定する接続先設定情報を前記フラッシュメモリに書き込んで、前記接続先設定情報をもとに特定の相手機器との通信のみを許可するコントローラチップと、前記無線回路と接続されると共に、前記情報処理装置に設けられた前記アンテナと接続／切断を可能として、前記情報処理装置と接続される前記複数の信号ピン側に設けられ、前記カードスロットに挿入された場合に前記カードスロットの内部において前記無線回路を前記アンテナと接続させ、前記カードスロットから抜かれた場合に前記無線回路を前記アンテナから切断させるコネクタとを具備したことを特徴とする。
【００１５】
【発明の実施の形態】
以下、図面を参照して本発明の実施の形態について説明する。図１は本実施形態に係わる無線インタフェース機能内蔵ＩＣカード（ＳＤメモリカード１０）の外観構成を示す図である。図１に示すように、本実施形態におけるＳＤメモリカード１０には、無線通信を行なうためのアンテナモジュール１２を接続するためのコネクタが設けられている。図１（ａ）は、ＳＤメモリカード１０のアンテナモジュール１２が接続された状態の平面図、図１（ｂ）はアンテナモジュール１２のＳＤメモリカード１０との接続面を示す図、図１（ｃ）は図１（ａ）の側面図、図１（ｄ）は、図１（ａ）の斜視図である。図１に示すように、アンテナモジュール１２は、ＳＤメモリカード１０の信号ピンが設けられていない側の辺に沿って装着されている。
【００１６】
次に、第１実施形態におけるＳＤメモリカード１０について説明する。
図２は、第１実施形態における、図１に示すＳＤメモリカード１０とアンテナモジュール１２の構成を示すブロック図である。第１実施形態におけるＳＤメモリカード１０は、無線インタフェース機能が搭載されたもので、無線通信方式としてはＢｌｕｅｔｏｏｔｈが用いられるものとする。なお、Ｂｌｕｅｔｏｏｔｈは、短距離の無線通信規格であり、２．４ＧＨｚ帯のＩＳＭ（Industry Science Medical）バンドを用いて１０ｍ以内の無線通信を実現するものである。Ｂｌｕｅｔｏｏｔｈでは、スペクトラム拡散技術として周波数ホッピング方式を用いており、最大で８台までの機器を時分割多重方式によって接続することができる。Ｂｌｕｅｔｏｏｔｈでは、時分割多重方式によって接続された機器によってピコネットと呼ばれるネットワークを形成し、１台が親機、その他の機器が子機として機能する。また、このネットワーク（ピコネット）においては、ＰＩＮ（Personal Identification Number）コードと呼ばれる暗証番号によって接続認証が行われる。
【００１７】
図２に示すように、ＳＤメモリカード１０には以下の３つの機能（ＩＣ）、すなわちＲＦ回路２０、コントローラＬＳＩ２１、フラッシュメモリ２２が内蔵されている。
【００１８】
ＲＦ回路２０（ＲＦ  ＩＣ）は、Ｂｌｕｅｔｏｏｔｈによる無線通信を行なうための高周波部分の回路であり、アンテナモジュール１２と図示せぬコネクタを介して接続される。また、ＲＦ回路２０は、コントローラＬＳＩ２１と接続される。
【００１９】
コントローラＬＳＩ２１は、Ｂｌｕｅｔｏｏｔｈのベースバンド制御（無線インタフェース制御）とＳＤメモリカードのインタフェース制御を行うもので、ＲＦ回路２０、フラッシュメモリ２２、及び信号ピンと接続される。コントローラＬＳＩ２１の内部には、図２に示すように、１つのＭＰＵ（ＲＩＳＣ）２１ａ、制御プログラムを格納したＲＯＭ２１ｂ、Ｂｌｕｅｔｏｏｔｈの最下位プロトコルの制御を行うリンクコントローラ２１ｃ、ワーク・バッファメモリとして使用されるＳＲＡＭ２１ｄ、フラッシュメモリ２２とのインタフェースを司るメモリインタフェース２１ｅ、複数の信号ピンとのインタフェースを司るＳＤカードインタフェース２１ｆ、その他デバイス２１ｇなどを有している。
【００２０】
ＲＯＭ２１ｂには、Ｂｌｕｅｔｏｏｔｈプロトコル制御プログラム、ＳＤカードインタフェース制御プログラムなどが格納されており、ＭＰＵ２１ａにより実行されることで、Ｂｌｕｅｔｏｏｔｈのより上位のプロトコル制御（Ｌｉｎｋ  Ｍａｎａｇｅｒ制御、ＨＣＩ制御）と共に、ＳＤメモリカードのインタフェース制御（セキュリティデータアクセス制御、フラッシュメモリ２２に対するメモリアクセス制御）が行われる。セキュリティデータアクセス制御は、ＳＤメモリカードとその対応機器に設けられた「個体認証」と呼ぶ著作権保護技術を実現するためのもので、データ（コンテンツ）の読み書きを行なう際に、予め製造段階で埋め込まれたカードのＩＤをホスト機器とカードとの間で双方で持つ鍵情報をもとにした暗号化を通じてやり取りすることでコンテンツのコピー履歴を管理し、無制限なコンテンツのコピーが行われないようにするためのものである。
【００２１】
フラッシュメモリ２２は、ＳＤメモリカード用のフラッシュＲＯＭ（ＥＥＰＲＯＭ）であり、システム領域、プロテクト領域、一般ユーザ領域を含んでいる。
【００２２】
Ｂｌｕｅｔｏｏｔｈ用の高周波アンテナは、可能な限りホスト機器となる情報処理装置の筐体から突出しているほうが、電波の送受信効率の面で有利である。図２に示す構成では、アンテナモジュール１２がＳＤメモリカードの外部に突出する形で実装されているので、ＳＤメモリカード１０を情報処理装置に設けられたスロットに装着した場合に、アンテナモジュール１２が情報処理装置の筐体から突出するようになっている。図２に示すように、アンテナモジュール１２がＳＤメモリカード１０に装着されることで、アンテナモジュール１２の内部に設けられたＢｌｕｅｔｏｏｔｈ用のアンテナ２６と、ＳＤメモリカード１０のＲＦ回路２０とが接続される。
【００２３】
このように、ＳＤメモリカード１０において無線インタフェース制御機能が搭載されているので、ＳＤメモリカード１０を情報処理装置における機能拡張用に用いることができる。また、アンテナモジュール１２を装着しない状態であれば、一般的なＳＤメモリカード１０としても使用することができる。
【００２４】
また、図２に示すような構成では、Ｂｌｕｅｔｏｏｔｈのプロトコル制御とフラッシュメモリ２２に対するインタフェース制御を同じ一つのＭＰＵ２１ａによって制御している。すなわち従来であればＳＤメモリカード１０にＢｌｕｅｔｏｏｔｈによる無線インタフェース機能を搭載しようとすると、Ｂｌｕｅｔｏｏｔｈのプロトコル制御用のコントローラＬＳＩとＳＤメモリカードのインタフェース制御用のコントローラＬＳＩの２つを設けて、それぞれ別のＭＰＵによって制御する必要があったが、第１実施形態の構成であればＢｌｕｅｔｏｏｔｈのプロトコル制御とＳＤメモリカードのインタフェース制御（セキュリティデータアクセス制御、メモリアクセス制御）を同じ一つのＭＰＵ２１ａで制御することで、コントローラＬＳＩ２１を一つで済ませることができ、部品の実装面で有利な構成となっている。
【００２５】
図３には、図２に示すＳＤメモリカード１０の変形例を示している。図３に示すＳＤメモリカード１０ｂは、図２に示す構成からフラッシュメモリ２２を省略した構成である。
図２に示すＳＤメモリカード１０では通常のＳＤメモリカードの機能を残した構成としているが、図３に示すＳＤメモリカード１０ｂは、無線インタフェース機能を提供する専用のＩＯカードとして使用することができる。
【００２６】
次に、第２実施形態におけるＳＤメモリカード１０ｃついて説明する。
図４は、第２実施形態におけるＳＤメモリカード１０ｃとアンテナモジュール１２の構成を示すブロック図である。第２実施形態におけるＳＤメモリカード１０ｃは、前述した第１実施形態における構成（図２，図３）と異なるアンテナ実装例を示すものである。図４に示すように、ＳＤメモリカード１０ｃには、信号ピンが設けられていない側の辺に沿ってアンテナ（Ａ）２７が内蔵され、ＲＦ回路２０と接続された構成となっている。第２実施形態においてもアンテナモジュール１２を装着可能であり、アンテナモジュール１２をＳＤメモリカード１０ｃに装着することで、内部のＢｌｕｅｔｏｏｔｈ用のアンテナ（Ｂ）２８がアンテナコネクタを介してＲＦ回路２０と接続される。なお、他の構成部分については、第１実施形態における図２に示す構成と同じものとして説明を省略する。
【００２７】
図４に示すように、ＳＤメモリカード１０ｃの内部においてもアンテナ（Ａ）２７を設けることで、アンテナモジュール１２を装着しないでもＳＤメモリカード１０ｃにより無線インタフェース機能を提供することができる。
【００２８】
例えば、電波の送受信効率が高いレベルで要求されない場合、すなわちＳＤメモリカード１０ｃのホスト機器とするマウスと、このマウスを使用するパーソナルコンピュータのように、近距離の無線通信が確保できれば良い状況の場合はアンテナモジュール１２を取り外して使用する。これにより、ホスト機器の筐体からの突出物（アンテナモジュール１２の部分）が無くなり、機器を取扱やすくすることができる。
【００２９】
一方、ある程度離れた機器との無線通信を行なう場合は、ＳＤメモリカード１０ｃにアンテナモジュール１２を装着して使用することによって電波の送受信効率が向上され、必要な通信距離を確保することができる。
【００３０】
このように、アンテナモジュール１２を装着した状態、あるいは外した状態の何れにおいても、ＳＤメモリカード１０ｃを無線通信インタフェースカードとして用いることができるので、１つのＳＤメモリカード１０ｃを用途に応じて使い分けることができ使い勝手が向上する。
【００３１】
次に、第３実施形態におけるＳＤメモリカード１０ｄについて説明する。
図５は、第３実施形態におけるＳＤメモリカード１０ｄとアンテナモジュール１２ａの構成を示すブロック図である。第３実施形態におけるアンテナモジュール１２ａは、前述した第２実施形態における構成（図４）に、アンテナ（Ｂ）２８だけではなく高周波回路の一部（高周波アンプ）を外部ＲＦアンプ２９として設けた構成である。
【００３２】
図５に示すように、アンテナモジュール１２ａには、アンテナ（Ｂ）２８と外部ＲＦアンプ２９が内蔵されている。アンテナモジュール１２ａがＳＤメモリカード１０ｄに装着されることで、内部のＢｌｕｅｔｏｏｔｈ用のアンテナ（Ｂ）２８が外部ＲＦアンプ２９を介して、アンテナコネクタを通じてＲＦ回路２０と接続される。なお、他の構成部分については、第１実施形態における図２に示す構成と同じものとして説明を省略する。
【００３３】
これによって、アンテナモジュール１２ａをＳＤメモリカード１０ｄに装着することにより、第２実施形態の構成の場合よりも、さらに無線通信能力を拡大させることができる。
【００３４】
次に、第４実施形態について説明する。
前述した第１〜第３の各実施形態では、ＳＤメモリカード１０に対して外部のアンテナモジュールを装着する構成としているが、アンテナモジュール１２をＳＤメモリカードから突出するようにして装着すると、ＳＤメモリカードの取扱いが不便になってしまうことがある。第４実施形態では、ＳＤメモリカード１０に直接アンテナを装着するのではなく、情報処理装置（ホスト機器）のイジェクトレバー内に実装されたアンテナを利用できるようにする。
【００３５】
図６には、ＳＤメモリカード１０を装着可能なカードスロット近傍の情報処理装置（ホスト機器）の概略構成を示す図である。図６（ａ）に示すように、カードスロットには、装着されたＳＤメモリカード１０を排出させるためのイジェクト機構がイジェクトレバー構成部品３０，３１により構成されている。イジェクトレバー構成部品３０は、ＳＤメモリカード１０のスロットへの挿入方向に沿って、先端の一部がホスト機器筐体面から突出するように設けられ、他方の先端がイジェクトレバー構成部品３１と結合されている。イジェクトレバー構成部品３１は、ＳＤメモリカード１０がスロットに装着された状態でのＳＤメモリカード１０の先端部（信号ピン側）に沿って配置されている。イジェクトレバー構成部品３１は、イジェクトレバー構成部品３０の先端部がホスト機器筐体内部側に押し込められることで（イジェクト操作）、支点位置を基準とする図中矢印方向（イジェクト方向）に、ＳＤメモリカードコネクタ３５と接続されたＳＤメモリカード１０を筐体外部に押し出すように作用する。イジェクトレバー構成部品３０には、ホスト機器筐体面から突出した部分にＢｌｕｅｔｏｏｔｈ用のアンテナ３４が内蔵され、またＳＤメモリカード１０がスロットに装着された際にＳＤメモリカード１０と接触する側にアンテナ接点３７が設けられアンテナ３４と接続されている。
【００３６】
また、第４実施形態で用いるＳＤメモリカード１０には、その側面部にアンテナ接点１０ａが設けられている。ＳＤメモリカード１０のアンテナ接点１０ａは、ＳＤメモリカード１０がカードスロットに装着された際に、イジェクトレバー構成部品３０に設けられたアンテナ接点３７と接する位置に設けられている。ＳＤメモリカード１０の内部構成は、前述した第１〜第３実施形態の構成が設けられており、アンテナ接点１０ａとＲＦ回路２０とが内部で接続されている。
【００３７】
図６（ｂ）には、ＳＤメモリカード１０がホスト機器筐体３８に設けられたカードスロットに装着された状態を示している。図６（ｂ）に示すように、アンテナ３４が内蔵されたイジェクトレバー構成部品３０の先端部分が筐体外部から突出しているので電波の送受信効率が良くなっている。また、ＳＤメモリカード１０に対して直接的にアンテナモジュールを装着する必要がないので、ＳＤメモリカード１０の扱いを容易にすることができる。また、ホスト機器側に予め設けられたアンテナ３４を使用するので、ユーザはアンテナの装着を意識する必要もなく、通常の扱いと同様に、カードスロットにＳＤメモリカード１０を装着するだけで無線通信機能を拡張することができる。
【００３８】
なお、図６（ｂ）に示す構成の場合、イジェクトレバー構成部品３０が突出した状態のままでホスト機器の扱いが不便となってしまう場合には、図６（ｃ）に示すように、イジェクトレバー構成部品３０の先端部分を構成しても良い。すなわち、図６（ｃ）に示す構成は、ＳＤメモリカード１０がカードスロットに装着された場合に、図６（ｄ）に示す側面断面図のようにして、イジェクトレバー構成部品３０のアンテナが内蔵された先端部分が筐体面に沿って折れ曲がるようにしたものである。この構成の場合であってもアンテナ３４が筐体外部に露出されているので、電波の送受信効率を大きく損ねることはない。
【００３９】
次に、第５実施形態について説明する。
前述した第４実施形態では、ＳＤメモリカード１０で使用するアンテナ３４をイジェクトレバーの内部に設ける構成としているが、第５実施形態ではホスト機器の筐体表面部に設けた構成例を示す。
【００４０】
図７には、ＳＤメモリカード１０を装着可能なカードスロット近傍の情報処理装置（ホスト機器）の概略構成を示す図である。図７に示すように、ホスト機器筐体表面の突出物にＢｌｕｅｔｏｏｔｈ用のアンテナ４０を実装している。カードスロットのＳＤメモリカード１０との接触面には、ＳＤメモリカード１０がスロットに装着された際にＳＤメモリカード１０と接触する位置にアンテナ接点４２が設けられアンテナ４０と接続されている。
【００４１】
また、第５実施形態で用いるＳＤメモリカード１０には、その側面部にアンテナ接点１０ａが設けられている。ＳＤメモリカード１０のアンテナ接点１０ａは、ＳＤメモリカード１０がカードスロットに装着された際に、カードスロットのＳＤメモリカード１０との接触面に設けられたアンテナ接点４２と接する位置に設けられている。ＳＤメモリカード１０の内部構成は、前述した第１〜第３実施形態の構成が設けられており、アンテナ接点１０ａとＲＦ回路２０とが内部で接続されている。
【００４２】
図７に示すように、アンテナ４０がホスト機器筐体の表面の突出部に設けられているので電波の送受信効率が良くなっている。また、ＳＤメモリカード１０に対して直接的にアンテナモジュールを装着する必要がないので、ＳＤメモリカード１０の扱いを容易にすることができる。また、ホスト機器側に予め設けられたアンテナ４０を使用するので、ユーザはアンテナの装着を意識する必要もなく、通常の扱いと同様に、カードスロットにＳＤメモリカード１０を装着するだけで無線通信機能を拡張することができる。
【００４３】
なお、前述した第４及び第５実施形態では、ＳＤメモリカード１０にアンテナとの接続を行なうためのアンテナ接点１０ａを設けるものとしているが、ＳＤメモリカード１０に設けられる信号ピンの一つをアンテナ接続用に用いることができれば、ＳＤメモリカードコネクタ３５を介してホスト機器側に設けられたアンテナ３４，４０とＳＤメモリカード１０とが接続されるように構成しても良い。
【００４４】
次に、第６実施形態について説明する。
第６実施形態は、ＳＤメモリカード１０ｅには通常のＳＤメモリカード機能のみを内蔵し、Ｂｌｕｅｔｏｏｔｈ機能の主要構成部分を外部にＢｌｕｅｔｏｏｔｈ機能拡張モジュール５０として設けた例である。図８には、第６実施形態におけるＳＤメモリカード１０ｅとＢｌｕｅｔｏｏｔｈ機能拡張モジュール５０の構成を示している。
【００４５】
図８に示すＳＤメモリカード１０ｅは、単体で使用する場合は通常のＳＤメモリカードとして動作するもので、コントローラＬＳＩ５１とフラッシュメモリ５２が内蔵されている。コントローラＬＳＩ５１は、ＭＰＵ５１ａ、ＲＯＭ５１ｂ、ＳＤ−ＢＴインタフェース５１ｃ、ＳＲＡＭ５１ｄ、メモリインタフェース５１ｅ、ＳＤカードインタフェース５１ｆが設けられている。なお、コントローラＬＳＩ５１は、ＳＤ−ＢＴインタフェース５１ｃと、通信インタフェース機能が設けられていない以外は、図２におけるコントローラＬＳＩ２１の対応する各部と同様の機能を有するものとして詳細な説明を省略する。ＳＤ−ＢＴインタフェース５１ｃは、コネクタ５４を介してＢｌｕｅｔｏｏｔｈ機能拡張モジュール５０と接続するためのインタフェースである。
【００４６】
Ｂｌｕｅｔｏｏｔｈ機能拡張モジュール５０は、ＲＦ回路２０、ＢｌｕｅｔｏｏｔｈベースバンドＬＳＩ５６、アンテナ５８が内蔵されている。ＢｌｕｅｔｏｏｔｈベースバンドＬＳＩ５６は、Ｂｌｕｅｔｏｏｔｈのベースバンド制御を行なうもので、ＭＰＵ（ＲＩＳＣ）５６ａ、ベースバンド制御プログラムを格納したＲＯＭ５６ｂ、Ｂｌｕｅｔｏｏｔｈの最下位プロトコルの制御を行うリンクコントローラ５６ｃ、ワーク・バッファメモリとして使用されるＳＲＡＭ５６ｄ、その他デバイス５６ｅ、ＳＤメモリカード１０ｅとのインタフェースを司るＳＤ−ＢＴインタフェース５６ｆなどを有している。なお、ＢｌｕｅｔｏｏｔｈベースバンドＬＳＩ５６は、ＳＤ−ＢＴインタフェース５６ｆと、メモリインタフェース機能が設けられていない以外は、図２におけるコントローラＬＳＩ２１の対応する各部と同様の機能を有するものとして詳細な説明を省略する。ＳＤ−ＢＴインタフェース５６ｆは、コネクタ５４を介してＳＤメモリカード１０ｅと接続するためのインタフェースである。
【００４７】
ＢｌｕｅｔｏｏｔｈベースバンドＬＳＩ５６は、リンクコントローラ５６ｃを通してＲＦ回路２０と接続される。ＲＦ回路２０は、Ｂｌｕｅｔｏｏｔｈ機能拡張モジュール５０に内蔵されているアンテナ５８と接続される。
【００４８】
このように、通常では、ＳＤメモリカード１０ｅを一般のＳＤメモリカードデバイスとして使用することができ、アンテナ５８、ＲＦ回路２０、ＢｌｕｅｔｏｏｔｈベースバンドＬＳＩ５６とを内蔵したＢｌｕｅｔｏｏｔｈ機能拡張モジュール５０を接続することで通信インタフェース機能を拡張することができる。これによって、ＳＤメモリカード１０ｅ内への部品実装が容易になるとともに、必要に応じて任意にＢｌｕｅｔｏｏｔｈ機能拡張モジュール５０を接続することで無線インタフェース機能を付加して使用することができる。
【００４９】
次に、前述した第１〜第６の実施形態における無線インタフェース機能によって接続される接続先の設定方法について説明する。
Ｂｌｕｅｔｏｏｔｈなどの無線通信方式では、通信可能な範囲内にある機器のうちの特定の機器とのみ通信したい場合も多い。こうした場合、接続する相手機器を特定する情報が必要である。Ｂｌｕｅｔｏｏｔｈの場合は、例えば自分自身のＰＩＮコードと接続先のＰＩＮコードとを接続先設定情報として予め登録しておくことで、この登録された情報をもとに特定の相手とのみ通信することが可能である。
【００５０】
例えば、前述した各実施形態における構成において（図３に示す構成を除く）、接続先設定情報をＳＤメモリカードのプロテクトメモリ領域に予め書き込んでおく。図２に示すＳＤメモリカード１０の場合、フラッシュメモリ２２のプロテクトメモリ領域に書き込まれた接続先設定情報は、無線インタフェース制御とメモリインタフェース制御とを実行可能なコントローラＬＳＩ２１によって読み出し可能であり、接続先の識別情報としてカード内で利用することができる。これにより、予め設定された特定の相手との通信が可能となる。一方、ＳＤメモリカード１０に対するホスト機器としては、ＳＤメモリカードの認証手段（セキュリティデータアクセス制御）によって、専用の鍵情報をもった特定のホスト機器しかアクセスできない。
【００５１】
通常、接続先設定情報は、むやみに他人に知られたり、変更されることが好ましくない。従って、前述のようにすることで、（１）ＳＤメモリカード１０を任意のホスト機器（パーソナルコンピュータなど）に取り付けることで、そのホスト機器によって予め設定された接続相手と通信できるようにし、（２）一方、接続先の変更や、その接続先設定情報の読み出しは、特定のホスト機器にカードを取り付けた場合にしかできない、という動作を実現させることができる。
【００５２】
これにより、接続相手を特定可能な無線インタフェース機能を拡張できるＳＤメモリカードとしての利便性と、機密性が高い接続先設定情報の保護とを両立させることができる。
【００５３】
なお、前述した説明では、無線インタフェース機能を搭載するＩＣカードとしてＳＤメモリカードを対象としているが、他の形状と機能を有する小型のＩＣカードを対象として本発明を適用することが可能である。また、無線通信方式もＢｌｕｅｔｏｏｔｈに限るものではなく、例えば無線ＬＡＮを対象とすることもできる。
【００５４】
【発明の効果】
以上詳述したように本発明によれば、ＩＣカード（ＳＤメモリカード）において無線インタフェース制御機能が搭載されているので、ＩＣカードを情報処理装置における機能拡張用に用いることができる。また、アンテナモジュールを装着しない状態であれば、一般的なＩＣカードとしても使用することができる。
【図面の簡単な説明】
【図１】本実施形態に係わる無線インタフェース機能内蔵ＩＣカード（ＳＤメモリカード）の外観構成を示す図。
【図２】第１実施形態における、図１に示すＳＤメモリカード１０とアンテナモジュール１２の構成を示すブロック図。
【図３】図２に示すＳＤメモリカード１０の変形例を示す図。
【図４】第２実施形態におけるＳＤメモリカード１０ｃとアンテナモジュール１２の構成を示すブロック図。
【図５】第３実施形態におけるＳＤメモリカード１０ｄとアンテナモジュール１２ａの構成を示すブロック図。
【図６】ＳＤメモリカード１０を装着可能なカードスロット近傍の情報処理装置（ホスト機器）の概略構成を示す図。
【図７】ＳＤメモリカード１０を装着可能なカードスロット近傍の情報処理装置（ホスト機器）の概略構成を示す図。
【図８】第６実施形態におけるＳＤメモリカード１０ｅとＢｌｕｅｔｏｏｔｈ機能拡張モジュール５０の構成を示す図。
【符号の説明】
１０，１０ｃ，１０ｄ，１０ｅ…ＳＤメモリカード
１２，１２ａ…アンテナモジュール
２０…ＲＦ回路
２１…コントローラＬＳＩ
２１ａ…ＭＰＵ２１ａ（ＲＩＳＣ）
２１ｂ…ＲＯＭ
２１ｃ…リンクコントローラ
２１ｄ…ＳＲＡＭ
２１ｅ…メモリインタフェース
２１ｆ…ＳＤメモリカードインタフェース
２２，５２…フラッシュメモリ
２６，５８…アンテナ
２７…アンテナ（Ａ）
２８…アンテナ（Ｂ）
２９…外部ＲＦアンプ
３０，３１…イジェクトレバー構成部品
３４，４０…アンテナ
３５…ＳＤメモリカードコネクタ
３７…アンテナ接点
３８…ホスト機器筐体
５０…Ｂｌｕｅｔｏｏｔｈ機能拡張モジュール
５１…コントローラＬＳＩ
５１ｃ，５６ｆ…ＳＤ−ＢＴインタフェース
５６…ＢｌｕｅｔｏｏｔｈベースバンドＬＳＩ
【図１】
0004053704.tif 000002
【図２】
0004053704.tif 000003
【図３】
0004053704.tif 000004
【図４】
0004053704.tif 000005
【図５】
0004053704.tif 000006
【図６】
0004053704.tif 000007
【図７】
0004053704.tif 000008
【図８】
0004053704.tif 000009